(57)【要約】【課題】耐久性とともに、見る人が感じる味感、質感及び触感などを向上させた天然プレートストーンシートを用いた室内外装飾用内装材の製造方法及びその方法によって製造された内装材を提供する。【解決手段】室内外装飾用内装材の製造方法であって、ベースボードを供給する段階と、ベースボードの上面に接着剤を塗布する段階と、接着剤が塗布されたベースボードに天然プレートストーンシートを供給して接着する段階と、天然プレートストーンシートが接着されたベースボードを圧縮する段階と、圧縮された天然プレートストーンシートが接着されたベースボードを熟成する段階と、熟成された天然プレートストーンシートが接着されたベースボードを切断して加工する段階とを含んで成る天然プレートストーンシートを用いた室内外装飾用内装材の製造方法及びその方法によって製造された内装材を提供する。【選択図】  図１
2020133146.tif 000002
【特許請求の範囲】
【請求項１】
室内外装飾用内装材の製造方法であって、
ベースボード（２３）を供給する段階（１１）と、
前記ベースボード（２３）の上面に接着剤を塗布する段階（１２）と、
接着剤が塗布されたベースボード（２３）に天然岩石の粘板岩であるフレキシブルな天然プレートストーンシート（２１）を供給して接着する段階（１３）と、
天然プレートストーンシート（２１）が接着されたベースボード（２３）を圧縮する段階（１４）と、
圧縮された天然プレートストーンシート（２１）が接着されたベースボード（２３）を熟成する段階（１５）と、
熟成された天然プレートストーンシート（２１）が接着されたベースボード（２３）を切断して加工する段階（１６）とを含んでなることを特徴とする、天然プレートストーンシートを用いた室内外装飾用内装材の製造方法。
【請求項２】
前記接着剤が塗布されたベースボード（２３）に天然プレートストーンシート（２１）を供給して接着する段階（１３）後、ベースボード（２３）を裏返してベースボード（２３）の下面にも接着剤を塗布し、接着剤が塗布された下面に天然プレートストーンシート（２１）を供給して接着する段階をさらに含むことを特徴とする、請求項１に記載の天然プレートストーンシートを用いた室内外装飾用内装材の製造方法。
【請求項３】
前記天然プレートストーンシート（２１）が接着されたベースボード（２３）を圧縮する段階（１４）では、ゴム板が付着されたプレスで圧縮することを特徴とする、請求項１に記載の天然プレートストーンシートを用いた室内外装飾用内装材の製造方法。
【請求項４】
前記圧縮された天然プレートストーンシート（２１）が接着されたベースボード（２３）を熟成する段階（１５）では、室内温度２３℃〜３０℃で４８時間以上間熟成することを特徴とする、請求項１に記載の天然プレートストーンシートを用いた室内外装飾用内装材の製造方法。
【請求項５】
請求項１〜４のいずれか一項の記載の製造方法によって製造され、ベースボード（２３）の上面又は上下面に接着層（２２）及び天然プレートストーンシート（２１）が積層されたことを特徴とする、天然プレートストーンシートを用いた室内外装飾用内装材。
【請求項６】
前記天然プレートストーンシート（２１）は天然岩石であるフレキシブルな粘板岩であることを特徴とする、請求項５に記載の天然プレートストーンシートを用いた室内外装飾用内装材。
【請求項７】
前記ベースボード（２３）は、長手方向に一側面に突起（３１）が形成され、他側面に溝（３２）が形成されることにより、内装材（２０）がブロック型に結合されることを特徴とする、請求項５に記載の天然プレートストーンシートを用いた室内外装飾用内装材。
【発明の詳細な説明】
【技術分野】
【０００１】
本発明は天然プレートストーンシートを用いた室内外装飾用内装材の製造方法及びその方法によって製造された内装材に係り、より詳しくは特定の地域で採取される天然岩石の天然プレートストーンシートを室内外装飾用板状材料のベースボードに接着することで、内装材の耐久性とともに、外観、質感及び触感などを向上させ、環境に優しくした天然プレートストーンシートを用いた室内外装飾用内装材の製造方法及びその方法によって製造された内装材に関する。
【背景技術】
【０００２】
一般に、各種の建築物は、新築時にその室内外部に一定の必要な装飾が備えられる。このような建築物の室内外装飾は時間が経つにつれて風雨又は寒暑などの事由で老朽化するため、一定の時間が経てば建築物を再建築するかリモデリングして室内外の装飾を再び施行することになる。
【０００３】
このように老朽化した建築物を再建築するかリモデリングして室内外の装飾を再び施行するときは、建築物の空間を構成する構造体の内面に対する仕上げと装飾を兼ねる材料として板状の内装材が多く使われる。
【０００４】
このように使われる板状の内装材は内部空間の機能と要求される各性能を満たすとともに快適な室内環境を提供しなければならないから、その素材は風雨又は寒暑、そして火、熱、騷音などを遮断する役割をすることができなければならなく、さらに内装材は一般的に構造体とは別に付着されて仕上げられるものなので、室内外装飾用内装材は耐久性とともに、外観、質感及び触感などを向上させ、環境に優しくする多様な性能が要求されている。
【０００５】
このような多様な性能の要求に応じて、従来には建築用内装材として天然大理石を主に使って来たが、天然大理石は高価でありながらもあまり重くて作業中の取扱いが容易でないだけでなく、外部の衝撃に易しく破損しやすい欠点があるため、破損されれば、入替え、補修などに問題点がある。
【０００６】
従来の問題点を解決するための建築物の内装材が韓国登録実用新案登録第２０−０２８５９１９号公報（登録日、２００２年０８月０５日）に開示されている。ここには、薄鉄板を折り曲げて熔接することにより、内部に三角形の空間部が形成される連続したトラス形の骨組み構造に金属製パネルを構成し、このパネルの上面に接着剤を塗布した後、薄く加工した天然石を付着し、金属製パネルの裏面には壁体への付着のための付着具を形成した天然石パネルが開示されているが、これは金属製パネルの製作のために鉄板を折り曲げなければならないため、製作上の困難があり、金属製パネルの裏面に形成された付着具によって壁体に付着しなければならないため、取扱い及び施工上の困難がある。
【０００７】
また、韓国特許登録第１０−１１２４１４９号公報（登録日、２０１２年０２月２８日）に天然石複合パネルが開示されているが、これは大理石を一定の厚さに鋸刃で切断して用いるため、パネルの製作が非効率的であり、さらにパネルの強度を高めるために金属板材を挿入することになるため、パネルを成形するのに困難がある。
【０００８】
したがって、室内外装飾用内装材として、耐久性を向上させることはもちろんのこと、取扱いが容易であり、外観、質感及び触感などを向上させ、環境に優しくする室内外装飾用内装材の製造に対する技術開発が要求されている。
【先行技術文献】
【特許文献】
【０００９】
【特許文献１】韓国登録実用新案登録第２０−０２８５９１９号公報
【特許文献２】韓国特許登録第１０−１１２４１４９号公報
【発明の概要】
【発明が解決しようとする課題】
【００１０】
本発明は従来の室内外装飾用内装材の問題点を解決するために案出されたもので、室内外装飾用内装材の耐久性とともに、外観、質感及び触感などを向上させ、環境に優しくした室内外装飾用内装材を製造する方法及びその方法によって製造された内装材を提供することをその目的とする。
【課題を解決するための手段】
【００１１】
前記のような目的を達成するための本発明は、室内外装飾用内装材の製造方法であって、ベースボードを供給する段階と、前記ベースボードの上面に接着剤を塗布する段階と、接着剤が塗布されたベースボードに天然岩石の粘板岩であるフレキシブルな天然プレートストーンシートを供給して接着する段階と、天然プレートストーンシートが接着されたベースボードを圧縮する段階と、圧縮された天然プレートストーンシートが接着されたベースボードを熟成する段階と、熟成された天然プレートストーンシートが接着されたベースボードを切断して加工する段階とを含んでなる、天然プレートストーンシートを用いた室内外装飾用内装材の製造方法を提供する。
【００１２】
本発明は、前記接着剤が塗布されたベースボードに天然プレートストーンシートを供給して接着する段階後、ベースボードを裏返してベースボードの下面にも接着剤を塗布し、接着剤が塗布された下面に天然プレートストーンシートを供給して接着する段階をさらに含むことができる。
【００１３】
また、前記天然プレートストーンシートが接着されたベースボードを圧縮する段階では、ゴム板が付着されたプレスで圧縮することができる。
【００１４】
また、前記圧縮された天然プレートストーンシートが接着されたベースボードを熟成する段階では、室内温度２３℃〜３０℃で４８時間以上間熟成することができる。
【００１５】
また、本発明は、前記製造方法によって製造された、天然プレートストーンシートを用いた室内外装飾用内装材を提供する。
【発明の効果】
【００１６】
本発明は前記のような課題の解決手段によって次のような効果がある。
【００１７】
第一、本発明は天然岩石の一種である粘板岩の天然プレートストーンシートをベースボードに接着したものであるので、室内外装飾用内装材の耐久性が向上するとともに、取扱いが容易であり、施工性を向上させることができる効果がある。
【００１８】
第二、本発明はベースボードに天然プレートストーンシートを接着したものであるから、天然岩石の天然柄がそのまま維持されるので、室内外装飾用内装材の外観、質感及び触感が向上し、環境に優しくすることができる効果がある。
【図面の簡単な説明】
【００１９】
【図１】本発明の天然プレートストーンシートを用いた内装材の製造方法の段階を示した図である。
【図２】本発明の天然プレートストーンシートを用いた内装材の製造方法によって製造された内装材の上面構造を示した図である。
【図３】本発明の天然プレートストーンシートを用いた内装材の製造方法によって製造された内装材の上下面構造を示した図である。
【図４】本発明の天然プレートストーンシートを用いた内装材の製造方法によって製造されたブロック型内装材の写真である。
【図５】本発明の天然プレートストーンシートを用いた内装材の製造方法によって製造された内装材の一表面を示した写真である。
【図６】本発明の天然プレートストーンシートを用いた内装材の製造方法によって製造された内装材の他の表面を示した写真である。
【図７】本発明の天然プレートストーンシートを用いた内装材の製造方法によって製造された内装材が壁体に取り付けられた状態を示した写真である。
【発明を実施するための形態】
【００２０】
以下、本発明の実施例について添付図面を参照して詳細に説明する。
【００２１】
添付図面の図１は本発明の天然プレートストーンシートを用いた内装材の製造方法の段階を示した図、図２は本発明の天然プレートストーンシートを用いた内装材の製造方法によって製造された内装材の上面構造を示した図、図３は本発明の天然プレートストーンシートを用いた内装材の製造方法によって製造された内装材の上下面構造を示した図である。
【００２２】
本発明は、図１に示したように、室内外装飾用内装材であって、耐久性とともに、外観、質感及び触感などを向上させ、環境に優しくする室内外装飾用内装材を製造するために、天然岩石の天然プレートストーンシートをベースボードに接着剤で接着して圧縮して熟成させ、熟成された内装材を切断して研磨加工する点に要点がある。
【００２３】
このために、本発明は、室内外装飾用内装材の製造方法であって、ベースボード２３を供給する段階（１１）と、前記ベースボード２３の上面に接着剤を塗布する段階（１２）と、接着剤が塗布されたベースボード２３に天然プレートストーンシート２１を供給して接着する段階（１３）と、天然プレートストーンシート２１が接着されたベースボード２３を圧縮する段階（１４）と、圧縮された天然プレートストーンシート２１が接着されたベースボード２３を熟成する段階（１５）と、熟成された天然プレートストーンシート２１が接着されたベースボード２３を切断して加工する段階（１６）とからなる。
【００２４】
本発明において、前記天然プレートストーンシート２１は特定の地域で採取される（インドで主に採取されている）天然岩石の一種である粘板岩であり、この粘板岩を薄膜状のフレキシブルなシート状に形成したものである。
【００２５】
したがって、天然プレートストーンシート２１は天然岩石である粘板岩が薄膜状のフレキシブルなシート状であるので、本発明で用いる天然プレートストーンシート２１は粘板岩が示す天然の模様をそのまま維持しているとともに、これをベースボード２３に接着すれば、天然岩石の天然柄の状態がそのまま維持されるので、室内外装飾用内装材としての耐久性はもちろんのこと、見る人が感じる外観、質感及び触感などが向上し、室外内装飾用内装材として環境に優しくなる。
【００２６】
一方、本発明において、ベースボード２３はセメントコンクリートボード、ケイ酸カルシウムボード、マグネシウムボード、石炭灰を圧縮した難燃素材、陶磁器などの無機素材又はポリ塩化ビニル、ポリエチレン、ポリプロピレン、ポリエステル、ポリアミド、ポリスチレン、ポリウレタン、ポリカーボネートから選択される非発泡物又は発泡物、ボード状の金属素材、床板、鋸屑、ベニヤ板から選択される木材、ＷＰＣ（ｗｏｏｄ  ｐｌａｓｔｉｃｃ  ｏｍｐｏｓｉｔｅ）、ＳＰＣ（ｓｔｏｎｅ  ｐｌａｓｔｉｃ  ｃｏｍｐｏｓｉｔｅ）などが使われる。
【００２７】
本発明において、前記ベースボード２３の上面と下面、すなわちベースボード２３の両面に天然プレートストーンシート２１を接着する場合には、前記接着剤が塗布されたベースボード２３に天然プレートストーンシート２１を供給して接着する段階（１３）後、ベースボード２３を裏返し、下面にも接着剤を塗布し、接着剤が塗布されたベースボード２３の下面に天然プレートストーンシート２１を供給して接着する段階をさらに含む。
【００２８】
ここで、前記ベースボード２３の下面に接着剤を塗布する場合には、より良好な接着剤の塗布を行うために、ベースボード２３の下面が上面になるようにベースボード２３を裏返す段階をさらに含むことが好ましい。
【００２９】
本発明において、前記天然プレートストーンシート２１が接着されたベースボード２３を圧縮する段階（１４）では、天然プレートストーンシート２１をベースボード２３に円滑で平らに接着するために、ゴム板が付着されたプレスで圧縮する。
【００３０】
このように、前記圧縮された天然プレートストーンシート２１が接着されたベースボード２３は、次の段階として熟成する段階（１５）を経ることになる。このとき、熟成段階（１５）では、室内温度２３℃〜３０℃で４８時間以上間熟成することが好ましい。
【００３１】
このように熟成された天然プレートストーンシート２１が接着されたベースボード２３は最終段階として切断加工段階（１６）を経ることになる。前記切断加工段階（１６）では、一定の規格に切断して研磨加工を行うとともに、必要によって作業者（消費者）が壁体をブロック式で易しく結合して設置することができるようにするために、内装材２０のベースボード２３には長手方向に一側面に突起３１を形成し、他側面に溝３２を形成してブロック型製品に製造し、これによって最終的に室内外装飾用内装材２０を製造する。
【００３２】
添付図面の図２及び図３は本発明の製造方法によって天然プレートストーンシートを用いた室内外装飾用内装材を示す。
【００３３】
図示のように、図２は本発明の製造方法によって製造された内装材２０のベースボード２３の一面、すなわちベースボード２３の上面に天然プレートストーンシート２１が接着層２２によって接着された状態の内装材２０の上面構造を示した図、図３はベースボード２３の両面、すなわちベースボード２３の上面と下面にそれぞれ天然プレートストーンシート２１が接着層２２によって接着された状態の内装材２０の上下面構造を示した図である。
【００３４】
図４は本発明の製造方法によって製造されたブロック型内装材を示した図である。すなわち、図４に示したように、本発明の製造方法による内装材２０は、作業者（消費者）が易しく設置することができるようにするために、ベースボード２３の一側面に長手方向に突起３１が形成され、その他側面には長手方向に溝３２が形成されているので、本発明の内装材２０を壁体に設置する場合、一つの内装材２０の溝３２に他の内装材２０の突起３１を噛み合わせて内装材２０をブロック型に結合するようにしたものである。
【００３５】
一方、添付図面の図５は本発明の天然プレートストーンシートを用いた内装材の製造方法によって製造された内装材の一表面を写真で示した図、図６は本発明の天然プレートストーンシートを用いた内装材の製造方法によって製造された内装材の他の表面を写真で示した図、図７は本発明による内装材が壁体に取り付けられた状態を示した写真である。
【００３６】
図５〜図７に示すように、本発明のベースボード２３の表面に接着された天然プレートストーンシート２１は天然岩石の天然柄をそのまま現しているので、本発明によって製造された内装材は外観とともに、質感及び触感などが向上し、室内外装飾用内装材として耐久性が向上するとともに環境に優しくすることができる効果がある。
【００３７】
以上で説明したように、本発明を一実施例に基づいて説明したが、本発明は通常の当業者によって多様な変形が可能なものであるので、本発明の権利範囲は上述した実施例に限定されるものではないと言える。
【符号の説明】
【００３８】
１１    ベースボード供給段階
１２    接着剤塗布段階
１３    天然プレートストーンシート供給／接着段階
１４    圧縮段階
１５    熟成段階
１６    切断加工段階
２０    内装材
２１    天然プレートストーンシート
２２    接着層
２３    ベースボード
３１    突起
３２    溝
【図１】
2020133146.tif 000003
【図２】
2020133146.tif 000004
【図３】
2020133146.tif 000005
【図４】
2020133146.tif 000006
【図５】
2020133146.tif 000007
【図６】
2020133146.tif 000008
【図７】
2020133146.tif 000009